(57)【要約】【課題】本発明は、集塵袋を適正位置に挿入保持する手段を備えた電気掃除機に関する。【解決手段】蓋体６に口板１２の先端１５が当接するように当接部１６を設けた。このことにより、口板１２が集塵袋保持部１０の奥まで挿入されないまま蓋体６を閉じた場合でも、口板１２の先端１５が当接部１６に当たることとなる。すなわち、蓋体６が閉じられるにつれて、口板１２が集塵袋保持部１０の奥にまで挿入され、適正位置に保持される。【選択図】図２
2007282840.tif 000002
【特許請求の範囲】
【請求項１】
電動送風機を内蔵する送風機内蔵部と、前記送風機内蔵部の前方吸込口側に集塵袋を収納する集塵部と、前記集塵部の上方にあり開閉自在の蓋体と、前記集塵部前方側にあり、回転中心により上方に回転するように付勢された集塵袋保持部とを備え、集塵袋を前記回転中心と反対の集塵部後方側から前記集塵袋保持部へ挿入保持する電気掃除機であって、集塵袋の口板に設けられた穴の部分と前記蓋体に設けられた開口部が嵌合される電気掃除機において、
前記集塵袋保持部に挿入された集塵袋を適正位置に保持する集塵袋口板への当接部を前記蓋体に設けたことを特徴とする電気掃除機。
【請求項２】
集塵袋を適正位置に保持する前記当接部の形状が、前記蓋体を閉じた状態で、集塵袋口板が下方向に回転移動しない形状になっていることを特徴とする請求項１に記載の電気掃除機。
【請求項３】
前記集塵袋保持部に集塵袋が収納されていない場合に、蓋体を開放状態から閉じる方向に回転移動させると、上方に付勢回転している集塵袋保持部の先端が蓋体にあたり、蓋体の回転を阻止する阻止部を併せ持つことを特徴とする請求項１または請求項２に記載の電気掃除機。
【発明の詳細な説明】
【技術分野】
【０００１】
本発明は、集塵袋を適正位置に挿入保持する手段を備えた電気掃除機に関する。
【背景技術】
【０００２】
従来の電気掃除機について図７を用いて説明する。電動送風機１を内蔵する送風機内蔵部２とその前方吸込口３側に集塵袋４を収納する集塵部５と、集塵部５の上方に開閉自在の蓋体６を備えており、蓋体６は送風機内蔵部２側のヒンジ部７でつながれている。集塵部５前方には係止ボタン８が設けられている。集塵部５前方には回転中心９を持ち、上方に回転するように付勢された集塵袋保持部１０が設けられており、集塵袋４は回転中心９と反対の集塵部後方側から挿入、保持される。集塵袋４は袋部分１１と集塵袋保持部１０へ挿入保持される口板から構成され、口板１２には穴１３が設けられており、上記蓋体６に設けられた開口部１４と嵌合される構造になっている。
【０００３】
この構造では集塵袋４を集塵袋保持部１０に挿入し、蓋体６を閉じた後には、集塵袋４が適正位置にあるか確認できないという問題がある。集塵袋４が集塵袋保持部１０の奥の適正位置まで挿入されていないことや、適正位置に挿入されていたとしても蓋体を閉じる動作の際に集塵袋がずれることがあり、蓋体６の開口部１４と口板１２の穴１３が適正位置に嵌合されてないことがあった。
【０００４】
また、吸込力が働いた時、集塵袋４に下方向への引力が作用し、蓋体６の開口部１４と集塵袋４の口板１２の嵌合が緩くなることがあり、これらがゴミ漏れの原因となっていた。
【０００５】
一方、従来、集塵袋の装着忘れを防止するために、種々の手法が提案されている。例えば特許文献１には、集塵部前方の吸込口に集塵袋を装着しないで集塵部上方の蓋体を閉じようとした場合、この閉蓋を阻止することによって集塵袋の装着忘れを防止する技術が開示されている。
【０００６】
しかしながら、一般的な集塵袋装着忘れ防止手段のみでは上記のようなゴミ漏れという問題を解決できず、ゴミ漏れと集塵袋装着忘れの防止手段を併せ持つ手法は未だ提案されていないのが現状である。
【特許文献１】実公平１−２３３９３号公報
【発明の開示】
【発明が解決しようとする課題】
【０００７】
本発明は、蓋体に集塵袋口板の端部と当接する当接部を設けたことにより、蓋体を閉じる動作によって集塵袋を適正位置に移動、挿入できる電気掃除機を提供することを目的とする。
【課題を解決するための手段】
【０００８】
上記目的を達成するために本発明の第１の構成は、電動送風機を内蔵する送風機内蔵部と、送風機内蔵部の前方吸込口側に集塵袋を収納する集塵部と、集塵部の上方にあり開閉自在の蓋体と、集塵部前方側にあり、回転中心により上方に回転するように付勢された集塵袋保持部とを備え、集塵袋を回転中心と反対の集塵部後方側から集塵袋保持部へ挿入保持する電気掃除機であって、集塵袋の口板に設けられた穴の部分と蓋体に設けられた開口部が嵌合される電気掃除機において、集塵袋保持部に挿入された集塵袋を適正位置に保持する集塵袋口板への当接部を蓋体に設けたことを特徴とする電気掃除機に関するものである。
【０００９】
本発明の第２の構成は、集塵袋を適正位置に保持する上記当接部の形状が、上記蓋体を閉じた状態で、集塵袋口板が下方向に回転移動しない形状になっていることを特徴とする電気掃除機に関するものである。
【００１０】
本発明の第３の構成は、上記集塵袋保持部に集塵袋が収納されていない場合に、蓋体を開放状態から閉じる方向に回転移動させると、上方に付勢回転している集塵袋保持部の先端が蓋体にあたり、蓋体の回転を阻止する阻止部を併せ持つことを特徴とする電気掃除機に関するものである。
【発明の効果】
【００１１】
本発明の第１の構成によれば、集塵袋の口板に設けられた穴の部分と蓋体に設けられた開口部が嵌合される電気掃除機において、集塵袋保持部に挿入された集塵袋を適正位置に保持する集塵袋口板への当接部を蓋体に設けたことにより、蓋体を閉じる動作によって集塵袋を適正位置に挿入保持することが可能となる。
【００１２】
本発明の第２の構成によれば、集塵袋を適正位置に保持する当接部の形状が、蓋体を閉じた状態で、集塵袋口板が下方向に回転移動しない形状となっていることにより、吸込力が働いた場合にも集塵袋が下方向（蓋体開口部から離れる方向）へ回転移動しないことが可能となる。
【００１３】
本発明の第３の構成によれば、集塵袋保持部に集塵袋が収納されていない場合に、蓋体を開放状態から閉じる方向に回転移動させると、上方に付勢回転している集塵袋保持部の先端が蓋体にあたり、蓋体の回転を阻止する阻止部を併せ持つことによって、集塵袋の取付け忘れを防止することができる。
【発明を実施するための最良の形態】
【００１４】
本発明の電気掃除機は、電動送風機を内蔵する送風機内蔵部と、送風機内蔵部の前方吸込口側に集塵袋を収納する集塵部と、集塵部の上方にあり開閉自在の蓋体と、集塵部前方側にあり、回転中心により上方に回転するように付勢された集塵袋保持部とを備え、集塵袋を上記回転中心と反対の集塵部後方側から集塵袋保持部へ挿入保持する電気掃除機であって、集塵袋の口板に設けられた穴の部分と上記蓋体に設けられた開口部が嵌合される電気掃除機において、集塵袋保持部に挿入された集塵袋を適正位置に保持する集塵袋口板への当接部を蓋体に設けている。
【００１５】
本発明の当接部は集塵袋保持部に挿入された集塵袋口板の先端部と当接するように設けられている。このことにより、集塵袋が集塵袋保持部に完全に挿入されず適正位置にない状態で蓋体を閉じた場合にも、上記当接部により適正位置に挿入保持されることが可能となる。
【００１６】
また、蓋体を閉じる動作の際に集塵袋がずれるという現象も防止することができ、蓋体が閉じられた時には集塵袋は適正位置に挿入保持された状態となる。
【００１７】
集塵袋が適性位置に挿入保持されることにより、集塵袋の位置ずれによってできる口板の穴の部分と蓋体の開口部との嵌合すき間からのゴミ漏れを防止でき、ゴミ漏れによる掃除機モーター側のゴミ詰りや事故を防止することができる。
【００１８】
本発明の当接部の形状は、蓋体を閉じた状態で、集塵袋口板が下方向（蓋体開口部から離れる方向）に回転移動しない形状であることが好ましい。
【００１９】
集塵袋が取付けられた状態で吸込力が働いた際に集塵袋が下方向へ力を受けても、集塵袋の口板先端部が当接部に当たることによって、集塵袋保持部及び集塵袋の回転移動を阻止できる。このことによって、蓋体開口部と集塵袋口板の嵌合緩みが起こらず、この部分からのゴミ漏れ及びゴミ漏れによるモーター側のゴミ詰りや事故を防止することが可能となる。
【００２０】
さらに、本発明の電気掃除機は、集塵袋保持部に集塵袋が収納されていない場合に、蓋体を開放状態から閉じる方向に回転移動すると、上方に付勢回転している集塵袋保持部の先端が蓋体に当たり、蓋体の回転を阻止する阻止部を併せ持っていることが好ましい。
【００２１】
集塵袋保持部に集塵袋が取付けられていない場合、本発明の当接部が持つ機能、すなわち、集塵袋を適正位置に保持する機能や集塵袋口板を下方向へ回転移動させない機能を発揮できないまま、蓋体が閉じてしまうこととなる。
【００２２】
しかしながら、蓋体の回転を阻止する阻止部を併せ持つことによって、集塵袋取付け忘れがあった場合にも、集塵袋保持部先端が蓋体に設けられた阻止部に当たり、蓋体が閉じることを阻止されるため、集塵袋取付け忘れを防止できる。このことによって、ゴミのモーター側への詰りや事故を防止することが可能となる。
【００２３】
本発明の第３の構成は、本発明の第１の構成及び第２の構成に含まれる当接部も併せもっているため、集塵袋取付け忘れ防止機能と、集塵袋を取付けた場合の集塵袋口板と蓋体開口部からのゴミ漏れ防止機能も同時に設けられていることとなる。
【実施例】
【００２４】
（実施例１）
以下、本発明の第１の実施例について図を用いて説明する。
【００２５】
図１は本発明の電気掃除機の概略図であり、図２は図１の集塵部の拡大断面図である。      
【００２６】
図１及び図２において電気掃除機は、電動送風機１を内蔵する送風機内蔵部２とその前方吸込口３側に集塵袋４を収納する集塵部５と、集塵部５の上方に開閉自在の蓋体６を備えており、蓋体６は送風機内蔵部２側にヒンジ部７を持っている。集塵部５前方には係止ボタン８が設けられている。集塵部５前方にあり、回転中心９により上方に回転するように付勢された集塵袋保持部１０は、回転中心９と反対の集塵部後方側から集塵袋４を挿入保持できるようになっている。集塵袋４は袋部分１１と集塵袋保持部１０に挿入保持される口板１２から構成されており、口板１２には穴１３が設けられている。口板１２の穴１３は、集塵袋４を挿入し蓋体６を閉じた時に、蓋体６の開口部１４と嵌合するようになっている。蓋体６を閉じた時、集塵袋４の口板１２と集塵袋保持部１０は蓋体６と略平行となる。
【００２７】
図３は集塵袋保持部１０に集塵袋４を挿入した図である。破線の集塵袋４は集塵袋保持部１０に挿入する前の集塵袋４である。
【００２８】
図４は図３の集塵袋保持部１０に集塵袋４を取付けた状態を矢印方向から見た図である。
【００２９】
図５は蓋体６を閉じていく途中位置の状態の図である。集塵袋４の口板１２の先端１５は蓋体６の内側に接して滑りながら集塵袋保持部１０とともに傾斜していく。この状態が更に進み蓋体６が閉じられた状態が図２となる。
【００３０】
図２では口板１２の先端１５が蓋体６に設けられた当接部１６に当接している。もし、口板１２が集塵袋保持部１０の奥まで挿入されずに蓋体６を閉じた場合でも、口板１２の先端１５は当接部１６に当たり、蓋体６が閉じられるにつれて、口板１２が集塵袋保持部１０の奥にまで挿入されることとなる。すなわち、蓋体６が閉じた時には口板１２が集塵袋保持部１０の奥の適正位置に保持される構造となっている。
【００３１】
（実施例２）
以下、本発明の第２の実施例について図を用いて説明する。
【００３２】
図２において、集塵袋４の口板１２の先端１５は、蓋体６に設けられた当接部１６に当接している。この時、吸込力の作用で口板１２が下方向に力を受けたとしても、口板１２の先端１５が当接部１６に当接しているため回転移動できず、口板１２の位置を維持することとなる。
【００３３】
この時、当接部１６の形状は、少なくとも口板１２の先端１５の回転方向に対し、食い込む方向で回転移動を阻止する形状となっている。
【００３４】
（実施例３）
以下、本発明の第３の実施例について図を用いて説明する。
【００３５】
図６は集塵袋保持部１０に集塵袋４を取付けない状態で蓋体６を閉じていった図である。集塵袋保持部１０の先端１７が蓋体６に設けられた阻止部１８に当たり、蓋体６の閉じようとする動きが阻止されている状態を表している。
【００３６】
この構造により、集塵袋４を取付けない状態で誤って蓋体６を閉じようとしても、途中で阻止されて完全に閉じることができない構造となっている。
【産業上の利用可能性】
【００３７】
本発明は、蓋体に集塵袋口板の端部と当接する当接部を設けることにより、蓋体を閉じる動作によって集塵袋を適正位置に挿入、保持可能となる電気掃除機に関する。
【図面の簡単な説明】
【００３８】
【図１】は、本発明の電気掃除機本体側面概略図である。
【図２】は、本発明の蓋体を閉じた状態の集塵部拡大図である。
【図３】は、本発明の蓋体を開放した状態の集塵部拡大図である。
【図４】は、本発明の図３の集塵袋保持部の矢視図である。
【図５】は、本発明の蓋体を閉じる途中の集塵部拡大図である。
【図６】は、本発明の集塵袋を装着しない場合の閉蓋を阻止した状態の集塵部拡大図である。
【図７】は、従来実施形態の集塵部拡大図である。
【符号の説明】
【００３９】
１      電動送風機
２      送風機内蔵部
３      吸込口
４      集塵袋
５      集塵部
６      蓋体
７      ヒンジ部
８      係止ボタン
９      回転中心（集塵袋保持部）
１０    集塵袋保持部
１１    袋部分
１２    口板
１３    穴
１４    開口部
１５    （口板）先端
１６    当接部
１７    （集塵袋保持部）先端
１８    阻止部
【図１】
2007282840.tif 000003
【図２】
2007282840.tif 000004
【図３】
2007282840.tif 000005
【図４】
2007282840.tif 000006
【図５】
2007282840.tif 000007
【図６】
2007282840.tif 000008
【図７】
2007282840.tif 000009